(57)【要約】【課題】本発明は、コンクリート床版に埋め込まれている高力ボルトを交換する際、インチサイズのボルトが使用されている場合でも、ナットはそのまま残し、ボルトだけを取り替えて交換する方法に使用し得るボルトを得ること、および該ボルトを低コスト、短納期で製造できる製造方法を得ることを目的とする。【解決手段】ボルトであって、頭部及び軸部はメートルサイズに加工し、ねじ部にはインチサイズのねじを形成した。このボルトの製造法であって、頭部と軸部はメートルサイズで加工し、ねじ部に、メートルボルト製造ラインにインチサイズの転造ダイス等のねじ加工工具を取り付け、インチサイズのねじを形成するようにした。【選択図】　　　図３
2004076917.tif 000002
【特許請求の範囲】
【請求項１】
ボルト頭部およびボルト軸部をメートルサイズとし、ボルトねじ部にインチサイズのねじを形成したことを特徴とするボルト。
【請求項２】
メートルボルトのボルト母材を使用し、該ボルト母材にメートルボルト製造ラインでボルト頭部およびボルト軸部をメートルサイズに加工し、メートルボルト製造ラインにインチサイズのねじ加工工具を取り付け、前記ボルト母材のねじ部にインチサイズのねじを形成することを特徴とするボルトの製造方法。
【発明の詳細な説明】
【０００１】
【発明の属する技術分野】
本発明は、ボルトおよび該ボルトの製造方法に係わるものであって、特に、メートルサイズのボルト母材を使用し、ボルトねじ部のみインチサイズに形成したボルトと、該ボルトをメートルボルト製造ラインで製造することを特徴とするものである。
【０００２】
【従来の技術】
一般に、橋梁や高架道路等において、鋼製桁にコンクリートを打設して形成する場合、鋼製桁は工場で製造されるが、輸送の制約上、１０ｍ程度に分割されて輸送され、現地で高力ボルト止めして連結されている。
そして、この鋼製桁にコンクリートを打設してコンクリート床版が形成されるので、この鋼製桁を連結する高力ボルトの一部はコンクリート床版に埋め込まれた状態になっている。
【０００３】
この高力ボルトで、例えば、橋梁の桁連結用に使用される高力ボルトは、昭和５４年のＪＩＳ規格改訂時までは、Ｆ１１Ｔボルトが使用されていた。
しかし、該Ｆ１１Ｔボルトは耐遅れ破壊性（年数が経ってから、破壊が生じる現象）に問題があり、現在は耐遅れ破壊性に対して優れたＦ１０Ｔボルトが使用されるようになっている。
【０００４】
このため、過去に製作された橋梁の高力ボルトを、Ｆ１０Ｔボルトに取り替える作業が行われている。
この高力ボルトの取り替え作業において、図１に示すように、ボルト頭部、ナットとも開放された状態にある、連結部の腹部や底部の高力ボルト４Ａについては単純に新しいボルトに取り替えればよく、全く問題はない。
【０００５】
しかし、連結部の上面でコンクリート床版に埋め込まれた状態にある高力ボルト４Ｂについては、取り替えが困難である。
例えば、図４（Ａ）、（Ｂ）に示すようにコンクリート床版を、床版上面から、あるいはハンチ部からはつり取って、取り替えることが考えられるが、この場合工事中交通を規制せざるを得ないし、また、高力ボルトを取り替えた後には、はつり取った部分に再度コンクリートを埋め戻す作業も必要であって、手間、時間、コストがかかる作業となるため、一般には採用されていない。
【０００６】
そこで、ナットはそのまま残し、ボルトだけを取り替える方法が考えられ、採用されている。この方法だと、工事中にも交通を規制する必要はないし、コンクリート床版をはつり取ると云う作業もなく、開放部の高力ボルト４Ａの取り替えと同様に簡単な作業で済むことになる。
【０００７】
ところで、昭和３０年代までに製作された橋梁には、インチサイズのボルトが使用されている。
しかし、メートル法の施行に伴い現在は、一般にメートルサイズのボルトが使用されており、インチサイズのボルトは一般に使用されておらず、既に製造もされていない。
【０００８】
このため、インチサイズのボルトを使用するには、インチサイズのボルトを新たに製造する必要があるが、それには、専用の製造ラインから設備することになるし、製造ラインを設備したとしても、現在それに見合う程のインチサイズのボルトの需要はない。
したがって、現在新たにインチサイズのボルトを製造することは、極めて高いボルト単価となるし、長納期とならざるを得ない状態にある。
【０００９】
【発明が解決しようとする課題】
本発明は、コンクリート床版に埋め込まれている高力ボルトを交換する際、インチサイズのボルトが使用されている場合でも、ナットを残し、ボルトだけを取り替え交換する方法に使用し得るボルトを得ること、および該ボルトを低コスト、短納期で製造する方法を得ることを目的とする。
【００１０】
【課題を解決するための手段】
ボルト頭部及びボルト軸部はメートルサイズに加工し、該ボルトのねじ部にはインチサイズのねじを形成した。このボルトの製造方法であって、メートルボルトのボルト母材を使用し、ボルト頭部とボルト軸部はメートルボルト製造ラインでメートルサイズに加工し、該ボルト母材のねじ部に、メートルボルト製造ラインに取り付けたインチサイズのねじ加工工具によって、インチサイズのねじを形成するようにした。
【００１１】
【発明の実施の形態】
以下図に沿って本発明の実施の形態について説明する。図１はコンクリート床版を有する橋梁の横断面概略図、図２は同要部拡大図、図３は本発明によるボルトを示す図である。
【００１２】
図において、１は鋼製桁であり、２は鋼製桁１上にコンクリートを打設して形成されたコンクリート床版である。３は鋼製桁１の連結部に当てがわれる連結板であって、鋼製桁１は連結板３に挟まれた状態で、高力ボルト４を通され、締結されて、分割された鋼製桁１は連結される。
【００１３】
なお、構造によっては連結板３を使用せず、分割された各鋼製桁１の両端にフランジを形成し（図示せず）、フランジ同士を高力ボルト４で締結し、フランジ連結する場合もある。
また、コンクリート床版２に埋め込まれた高力ボルトを４Ｂとし、開放された高力ボルトは４Ａで表示した。
【００１４】
図３に本発明による高力ボルトの構造の１例を示している。ボルト頭部４１およびボルト軸部４２はメートルサイズに加工されている。
そして、ボルトねじ部４３にはインチサイズのねじが形成されている、即ち、メートルボルトを使用し、ねじ部にはインチサイズのねじが形成されたボルトになっている。
【００１５】
このようなボルトを製造するためには、まず、現在製造されているメートルボルトの母材を使用し、該母材のボルト頭部４１とボルト軸部４２をメートルサイズに加工し、次いで、母材のねじ部４３に、メートルボルトの製造ラインに取り付けたインチサイズのねじ加工工具によって、インチサイズのねじを形成する。
【００１６】
このような構成としたので、コンクリート床版２に埋め込まれた高力ボルトを交換する際、インチサイズのボルトが使用されている場合であっても、コンクリート床版２に残されたインチサイズのナットに、本ボルトを用い、ボルトだけを取り替えて交換する。
ボルトの締め付けには、一般に使用されているメートルボルト用の締付機を使用して締結する。
【００１７】
また、本ボルトの製造においては、現在製造されているメートルボルトの母材を使用し、インチサイズのねじ加工工具をメートルボルト製造ラインに取り付けて、ボルト頭部４１，ボルト軸部４２をメートルサイズに加工し、該メートルボルトのボルトねじ部４３にインチサイズのねじ加工工具によって、インチサイズのねじを形成する。
【００１８】
したがって、本ボルトは、新しくインチサイズのねじ加工工具を準備するだけで、メートルボルトのボルト母材および製造ラインを利用して、メートルボルト並の低コスト，短納期で製造できる。
インチサイズのねじ加工工具としては、インチサイズの転造ダイスやインチ送り可能なバイトが使用され、転造加工あるいは切削加工が施される。
【００１９】
なお、橋梁等の大きさによるが、例えば、３０ｍクラスの橋梁では４０００本程の高力ボルトが使用されており、このうち約１／４にあたる１０００本程がコンクリート床版２に埋め込まれている。
また、コンクリート床版２に埋め込まれていない、開放された状態の高力ボルト４Ａについては、新規のメートルボルトに交換する。
【００２０】
【発明の効果】
本発明は、コンクリート床版に埋め込まれた高力ボルトを交換する際、インチサイズのボルトが使用されている場合であっても、ナットはそのまま残し、ボルトだけを取り替える方法を実施するために、該ナットと螺合できるインチサイズのねじを有するボルトを得ることができる。
また、該ボルトを、現在一般に製造されているメートルボルト並の低コストおよび短納期で製造することができる。
【図面の簡単な説明】
【図１】コンクリート床版を有する橋梁の横断面概略図。
【図２】同要部拡大図。
【図３】本発明によるボルトを示す図。
【図４】コンクリート床版をはつり取る状態を示す図。
【符号の説明】
１　鋼製桁　　　　　　　　　　　２　コンクリート床版
３　連結板　　　　　　　　　　　４　高力ボルト
４１　ボルト頭部　　　　　　　　４２　ボルト軸部
４３　ボルトねじ部
【図１】
2004076917.tif 000003
【図２】
2004076917.tif 000004
【図３】
2004076917.tif 000005
【図４】
2004076917.tif 000006